(57)【要約】【課題】予約情報受け付け待機状態と予約待機状態において、信号処理回路と、記録再生手段と、その制御手段への電源供給を禁止して、省電力化を実現する記録再生装置を提供することを目的とする。【解決手段】電源オフしたときに、入出力手段２２と信号処理手段２９と記録手段３０及び、前記入出力手段２２と前記信号処理手段２９と前記記録手段３０を制御する制御手段２８への電源供給を禁止し、予約情報受け付け及び予約された番組を記録するときに、検出手段２５により、外部セットトップボックス内蔵テレビ１１からの電源オン信号を検知し、前記入出力手段２２と前記信号処理手段２９と前記記録手段３０及び、前記入出力手段２２と前記信号処理手段２９と前記記録手段３０を制御する制御手段２８への電源を供給する電源制御手段２５、２７を設けたものである。【選択図】  図１
2004349790.tif 000002
【特許請求の範囲】
【請求項１】
外部セットトップボックス内蔵テレビへデジタル映像信号とデジタル音声信号とその両信号の制御情報の出力を可能とする出力手段と、
前記出力手段に含まれる外部セットトップボックス内蔵テレビからの制御信号の有無を検出する手段と、
前記セットトップボックス内蔵テレビとの間でデジタル映像信号ならびにデジタル音声信号とその両信号の制御情報を含む入出力手段と、
前記入出力手段によって、外部セットトップボックス内蔵テレビより入力したデジタル映像信号とデジタル音声信号に対し、記録するために必要な処理を施す信号処理手段と、
前記信号処理手段により処理が施された信号を記録媒体に記録する記録手段と
前記入出力手段と前記信号処理手段と前記記録手段を制御する制御手段とを備えた記録再生装置であって、少なくとも電源オフ時に前記入出力手段と前記信号処理手段と前記記録手段および前記制御手段への電源供給を禁止し、前記検出手段により制御信号が検知されたとき、前記入出力手段と前記信号処理手段と前記記録手段と前記制御手段への電源供給を許可する電源制御手段を設けたことを特徴とする記録再生装置。
【発明の詳細な説明】
【０００１】
【発明の属する技術分野】
本発明は、外部セットトップボックス内蔵テレビにより番組予約されたデジタル映像信号を記録する記録再生装置に関し、特に予約情報受け付け待機状態と予約実行待機状態の消費電力を削減することが可能な記録再生装置に関するものである。
【０００２】
【従来の技術】
従来から、例えばＢＳデジタルチューナー内蔵テレビにより、ＢＳデジタル放送の番組を受信予約し、ＶＴＲにて自動録画することが可能な自動録画システムが提案されている。
【０００３】
従来の自動録画システムを図３とともに説明する。ＢＳデジタルチューナー内蔵テレビ１の操作部２を介して、受信番組を予約することによりマイコン３−ｂは所望の番組放送時刻になると、番組放送信号を信号処理回路３−ａで信号処理を行った後、インターフェース４より、デジタル信号と外部ＶＴＲ５の制御情報として出力する。
【０００４】
ＶＴＲ５のマイコン７はインターフェース６と信号処理回路８を介して、ＢＳデジタルチューナー内蔵テレビ１からの制御情報に基づき、ＶＴＲ５を記録状態にするための制御情報を記録処理回路９へ出力する。記録処理回路９は制御情報に応じてＢＳデジタルチューナー内蔵テレビ１からのデジタル信号を記録媒体（図示せず）に記録する。
【０００５】
以上により、所望の放送番組を記録し予約番組の放送が終了したときに、ＢＳデジタルチューナー内蔵テレビ１からの制御情報により、記録モードを解除し電源オフモードとする。
【０００６】
【特許文献１】
特開２００１−１４５０５１号公報
【０００７】
【発明が解決しようとする課題】
しかしながら、上述した従来の自動録画システムにおいては、外部ＢＳデジタルチューナー内蔵テレビ１からの制御情報検出のため、マイコン７と信号処理回路８は常に電源供給している状態でなければならない。またマイコン７から制御されている記録処理回路９も信号処理回路８と同一の制御信号を用いており、記録処理回路９の電源供給を禁止すると記録処理回路９の制御端子にマイコン７からの制御信号の電流が流れ込み、制御情報伝達が不可能になる可能性があるため、制御情報伝達の妨げにならないように記録処理回路９にも電源供給をする必要があり、装置全体の消費電力を削減することが困難という問題点を有している。
【０００８】
すなわち、外部ＢＳデジタルチューナー内蔵テレビからの予約情報受け付け待機状態と、その予約実行待機状態の省電力化の両立をさせることができないという問題がある。
【０００９】
本発明は、上記従来の問題点を解決するもので、信号処理回路およびその制御手段と独立して動作可能な、ＢＳデジタルチューナー内蔵テレビからの制御情報の検出回路を設けることにより予約情報受け付け待機状態と予約待機状態の省電力化を実現することが可能な記録再生装置を提供することを目的とする。
【００１０】
【課題を解決するための手段】
本願の第１の発明は、外部セットトップボックス内蔵テレビへデジタル映像信号とデジタル音声信号とその両信号の制御情報の出力を可能とする出力手段と、
前記出力手段に含まれる外部セットトップボックス内蔵テレビからの制御信号の有無を検出する手段と、
前記セットトップボックス内蔵テレビとの間でデジタル映像信号ならびにデジタル音声信号とその両信号の制御情報を含む入出力手段と、
前記入出力手段によって、外部セットトップボックス内蔵テレビより入力したデジタル映像信号とデジタル音声信号に対し、記録するために必要な処理を施す信号処理手段と、
前記信号処理手段により処理が施された信号を記録媒体に記録する記録手段と
前記入出力手段と前記信号処理手段と前記記録手段を制御する制御手段とを備えた記録再生装置であって、少なくとも電源オフ時に前記入出力手段と前記信号処理手段と前記記録手段および前記制御手段への電源供給を禁止し、前記検出手段により制御信号が検知されたとき、前記入出力手段と前記信号処理手段と前記記録手段と前記制御手段への電源供給を許可する電源制御手段を設けたものである。
【００１１】
これによって、信号処理手段およびその制御手段と独立して設けられた検出手段により、常に外部セットトップボックス内蔵テレビからの制御情報を監視できるので、予約情報受け付け待機状態、あるいは予約待機状態の間、当該記録再生装置の信号処理手段、およびその制御手段への電源供給を禁止して、消費電力の削減を実現することが可能となる。また、検出手段により外部セットトップボックス内蔵テレビからの制御情報を検出した場合、信号処理手段、およびその制御手段への電源供給を許可し、外部セットトップボックス内蔵テレビからのデジタル映像信号とデジタル音声信号を記録することができる。
【００１２】
【発明の実施の形態】
以下、本発明の第１実施形態を記録再生装置としてハードディスクレコーダを用いた場合について、図１および図２とともに説明する。ここで、図１は本実施形態における概略構成を示すブロック図、図２は本実施形態におけるタイマー予約動作、予約番組の記録動作実行を示すフローチャートである。
【００１３】
図１において、デジタル放送等を受信するセットトップボックス内蔵テレビ１１はＮＴＳＣエンコーダ１２、ＭＰＥＧデコーダ１３、受信部１４、マイコン１６、信号処理回路１７、たとえばＨＤＭＩなどのインターフェース１８、たとえば１３９４などのインターフェース回路１９から構成されている。
【００１４】
また、セットトップボックス内蔵テレビ１１とデジタル信号を伝達するケーブルで接続されたハードディスクレコーダ２１は、インターフェース回路２２、インターフェース２３、信号処理回路２４、操作マイコン２５、電源回路２６、スイッチ２７、マイコン２８、信号処理部２９、記録再生部３０から構成されている。
【００１５】
セットトップボックス内蔵テレビ１１において、ユーザが番組予約の入力、設定を行うと、マイコン１６はこれらの入力、設定情報を受けて、受信部１４、信号処理回路１７、インターフェース１８、インターフェース回路１９を制御する。すなわち番組予約の設定された時刻の直前になると、アンテナ１５から入力された放送波を受信部１４で受信し、受信したデジタル映像信号とデジタル音声信号はインターフェース回路１９で通信用仕様に変換する。
【００１６】
インターフェース回路１９で通信用仕様に変換されたデジタル映像信号やデジタル音声信号はケーブルを介してハードディスクレコーダ２１に送出される。
【００１７】
このインターフェース回路１９とインターフェース回路２２間は、ＭＰＥＧのトランスポートストリーム等のフォーマットであるデジタル映像信号やデジタル音声信号の入出力の他に、外部記録再生装置（本件の場合、ハードディスクレコーダ２１）の動作状態情報や、動作制御情報、番組予約情報等の転送にも使用されている。
【００１８】
一方、ハードディスクレコーダ２１の基本的な動作は、ユーザが操作マイコン２５を介して電源オンの操作入力を行うと、スイッチ２７をオンして、電源回路２６からの電源を、インターフェース２２、マイコン２８、信号処理部２９、記録再生部３０へ供給する。
【００１９】
また、操作マイコン２５は、ハードディスクレコーダ２１全体の制御を行っているマイコン２８へ制御情報を送信する。そしてユーザからの録画、再生等の操作情報に基づき、マイコン２８がインターフェース回路２２、信号処理部２９、記録再生部３０、記録媒体であるハードディスク（図示せず）等を制御する。
【００２０】
例えば、ユーザから録画の指令が入力された場合は、入力映像信号、音声信号に対し、信号処理部２９、記録再生部３０で信号処理を行った後、ハードディスク（図示せず）に記録を行う。
【００２１】
また、入力された映像信号、音声信号は、信号処理部２９にて信号処理を行い、デジタル映像信号、ならびにデジタル音声信号に変換した後、信号処理回路２４に伝送される。
【００２２】
伝送された表示のための、デジタル映像信号、ならびにデジタル音声信号は、インターフェース２３出力仕様のための信号処理を信号処理回路２４で行った後、インターフェース２３より出力される。
【００２３】
また、インターフェース２３は、外部装置からの動作制御情報の伝達機能を有しており、本形態の場合、セットトップボックス内蔵テレビ１１からの動作制御が可能となる。
【００２４】
尚、前記記録動作のために必要な、インターフェース２２、マイコン２８、信号処理部２９、記録再生部３０は、予約情報受け付け待機、予約待機状態では記録動作を行わないため、動作させる必要はない。
【００２５】
ハードディスクレコーダ２１は予約情報受け付け待機、予約待機状態で、操作マイコン２５がスイッチ２７をオフし、インターフェース回路２２、マイコン２８、信号処理部２９、記録再生部３０の電源供給を禁止する。
【００２６】
操作マイコン２５は、スイッチ２７で電源供給が遮断されるブロックとは独立して電源回路２６から電源供給を受けて常時動作可能となっており、インターフェース２３から入力される動作制御情報を検出している。
【００２７】
このとき、信号処理回路２４と操作マイコン２５の消費電力は、インターフェース回路２２、マイコン２８、信号処理部２９、記録再生部３０の消費電力と比較し小さいことが、本発明の必要な条件である。特に、ハードディスクレコーダ等のデジタル信号処理を行う装置の場合、信号処理に用いられる信号処理部２９、記録再生部３０等の消費電力が大きく、本発明による省電力化の効果は大きくなる。
【００２８】
ハードディスクレコーダ２１は予約情報受け付け待機、また予約待機状態で、セットトップボックス内蔵テレビ１１からの電源オン情報を、インターフェース２３を介して入手し、操作マイコン２５にて検出する。
【００２９】
操作マイコン２５は、前記電源オン情報に基づきスイッチ２７をオンし、インターフェース回路２２、マイコン２８、信号処理部２９、記録再生部３０へ電源を供給する。
【００３０】
マイコン２８は、セットトップボックス内蔵テレビ１１からインターフェース２２を介して詳細情報を入手し、その詳細情報が放送番組予約情報であれば、操作マイコン２５へ予約情報として転送を行う。この動作は予約番組記録時に、ハードディスクレコーダ２１の記録状態までのモード移行時間を考慮した上で、事前に起動及び記録モードへの移行を完了しておくために必要であるが、何らかの方法で、セットトップボックス内蔵テレビ１１からの予約番組開始時の映像信号および音声信号と、記録動作開始の同期を合わせることができる手法であれば良い。
【００３１】
また、マイコン２８によりセットトップボックス内蔵テレビ１１からインターフェース２２を介して入手した詳細情報が、予約番組記録のための情報であれば、マイコン２８は、インターフェース回路２２、マイコン２８、信号処理部２９、記録再生部３０を制御し、ハードディスクレコーダ２１を記録モードとすることにより、所望の番組の映像信号や音声信号を記録する。
【００３２】
次に、本実施形態の予約録画動作について、図２のフローチヤートとともに説明する。まず、通常ユーザが使用しない時には電源をオフする（ステップ１）。この時、ハードディスクレコーダ２１では、電源ラインのスイッチ２７をオフする（ステップ２）。この状態で、セットトップボックス内蔵テレビ１１からの予約情報受け付け待機、ならびに予約待機状態となる。
【００３３】
セットトップボックス内蔵テレビ１１はユーザからの番組予約を受け付けた場合、あるいは、すでにユーザからの番組予約を受け付けし、その予約された時刻となる（ステップ３）と、ハードディスクレコーダ２１への電源オン信号をインターフェース１８よりインターフェース２３へと送出する（ステップ４）。
【００３４】
ハードディスクレコーダ２１は、セットトップボックス内蔵テレビ１１からの電源オン信号を操作マイコン２５で検出（ステップ５）する。
【００３５】
操作マイコン２５は前記信号を受け付け後、スイッチ２７をオン（ステップ６）し、マイコン２８は、セットトップボックス内蔵テレビ１１からの詳細情報を、インターフェース回路２２を介して入手する（ステップ７）。
【００３６】
マイコン２８は前記詳細情報を判別し（ステップ９）、予約情報と判断すれば、操作マイコン２５へその情報を転送（ステップ１０）し、転送完了を操作マイコン２５へ通知する。
【００３７】
操作マイコン２５は、マイコン２８より転送された予約情報を記憶後、マイコン２８からの転送完了通知を受け、スイッチ２７をオフし省電力化を行う。
【００３８】
また、前記ステップ９での情報を、マイコン２８が予約番組記録と判断すれば、マイコン２８は、インターフェース回路２２、マイコン２８、信号処理部２９、記録再生部３０を制御し、記録モードを実行する（ステップ１１）。
【００３９】
【発明の効果】
本願請求項１に記載の発明によれば、信号処理手段およびその制御手段と独立して設けられた検出手段により、常に外部セットトップボックス内蔵テレビからの制御情報を監視できるので、予約情報受け付け待機状態、あるいは予約待機状態の間、当該記録再生装置の信号処理手段、およびその制御手段への電源供給を禁止して、消費電力の削減を実現することが可能となる。また、検出手段により外部セットトップボックス内蔵テレビからの制御情報を検出した場合、信号処理手段、およびその制御手段への電源供給を許可し、外部セットトップボックス内蔵テレビからのデジタル映像信号とデジタル音声信号を記録することができる。
【図面の簡単な説明】
【図１】本発明の第１実施形態における記録再生装置のブロック図
【図２】本発明の第１実施形態における記録再生装置のタイマー予約情報の受け付けと、タイマー予約録画動作を示すフローチャート
【図３】従来の記録再生装置の動作説明のためのブロック図
【符号の説明】
２１  ハードディスクレコーダ（記録再生装置）
２２  インターフェース回路（入出力手段）
２３  インターフェース（出力手段）
２５  操作マイコン（検出、制御手段）
２６  電源回路
２７  スイッチ
２８  マイコン
２９  信号処理部
３０  記録再生部
【図１】
2004349790.tif 000003
【図２】
2004349790.tif 000004
【図３】
2004349790.tif 000005